【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
第１のワイヤレスデバイスによって、第１の狭周波数帯域上で発見動作を実施することと、
第２の狭周波数帯域上で発見された第２のワイヤレスデバイスとの第１の通信リンクを確立することと、
前記発見された第２のワイヤレスデバイスに前記第２の狭周波数帯域上でデータを送信することと、前記データが、前記発見された第２のワイヤレスデバイスによって広周波数帯域上の第２の通信リンク上で第３のデバイスにリレーされるべきである、
を備えるワイヤレス通信の方法。
【請求項２】
前記第１の狭周波数帯域と前記第２の狭周波数帯域とが同じであり、
前記第２の狭周波数帯域が複数の狭周波数帯域ワイヤレスデバイスに共通である、請求項１に記載の方法。
【請求項３】
前記第１の狭周波数帯域または前記第２の狭周波数帯域のうちの少なくとも１つがあらかじめ定義された、請求項１に記載の方法。
【請求項４】
前記第１の狭周波数帯域または前記第２の狭周波数帯域のうちの少なくとも１つが前記第１のワイヤレスデバイスによってランダムに選択される、請求項１に記載の方法。
【請求項５】
前記第２の狭周波数帯域上の前記第１の通信リンクと前記広周波数帯域上の前記第２の通信リンクとが時間的に重複する、請求項１に記載の方法。
【請求項６】
プロセッサと、
前記プロセッサと電子通信しているメモリと、
前記メモリに記憶された命令とを備え、前記命令は、
第１の狭周波数帯域上で発見動作を実施することと、
第２の狭周波数帯域上で発見された第２のワイヤレスデバイスとの第１の通信リンクを確立することと、
前記発見された第２のワイヤレスデバイスに前記第２の狭周波数帯域上でデータを送信することと、前記データが、前記発見された第２のワイヤレスデバイスによって広周波数帯域上の第２の通信リンク上で第３のデバイスにリレーされるべきである、
を行うように前記プロセッサによって実行可能である、
マシンタイプ通信（ＭＴＣ）デバイス。
【請求項７】
第１のワイヤレスデバイスによって発見動作に参加することと、
第１の狭周波数帯域上で前記発見動作に関与する第２のワイヤレスデバイスとの第１の通信リンクを確立することと、ここにおいて、前記発見動作は、前記第１の狭周波数帯域をリッスンし、そして同じ第１の狭周波数帯域上で発見メッセージに応答することによって、前記第２のデバイスによって開始される、
前記第２のワイヤレスデバイスから第２の狭周波数帯域上でデータを受信することと、
広周波数帯域上の第２の通信リンクを介して第３のデバイスに前記受信されたデータをリレーすることと
を備えるワイヤレス通信の方法。
【請求項８】
前記発見動作を開始するために前記第１の狭周波数帯域上で前記発見メッセージを送ることをさらに備える、請求項７に記載の方法。
【請求項９】
前記発見動作を開始するために複数のワイヤレスデバイスに共通の狭周波数帯域上で前記発見メッセージを送ること、または、
前記発見動作を開始するために複数のワイヤレスデバイスに複数の異なる狭周波数帯域上で前記発見メッセージを送ること
をさらに備える、請求項８に記載の方法。
【請求項１０】
前記第２のワイヤレスデバイスからの応答メッセージについて所定の時間の間、前記第１の狭周波数帯域を監視することをさらに備える、請求項７に記載の方法。
【請求項１１】
前記第１の狭周波数帯域と前記第２の狭周波数帯域とが同じである、請求項７に記載の方法。
【請求項１２】
前記第１の狭周波数帯域または前記第２の狭周波数のうちの少なくとも１つが前記広周波数帯域のサブセットである、請求項１または７に記載の方法。
【請求項１３】
前記第１の通信リンクがＬＴＥ−Ｄ接続を備え、
前記第２の通信リンクがＬＴＥ接続を備える、請求項１または７に記載の方法。
【請求項１４】
前記第１の狭周波数帯域または前記第２の狭周波数のうちの少なくとも１つが１．４ＭＨｚから３ＭＨｚの範囲内の帯域幅を備え、
前記広周波数帯域が約５ＭＨｚ、１０ＭＨＺ、または２０ＭＨｚの帯域幅を備える、請求項１または７に記載の方法。
【請求項１５】
プロセッサと、
前記プロセッサと電子通信しているメモリと、
前記メモリに記憶された命令とを備え、前記命令が、
発見動作に参加することと、
第１の狭周波数帯域上で前記発見動作に関与する第２のワイヤレスデバイスとの第１の通信リンクを確立することと、ここにおいて、前記発見動作は、前記第１の狭周波数帯域をリッスンし、そして同じ第１の狭周波数帯域上で発見メッセージに応答することによって、前記第２のデバイスによって開始される、
前記第２のワイヤレスデバイスから第２の狭周波数帯域上でデータを受信することと、
広周波数帯域上の第２の通信リンクを介して第３のデバイスに前記受信されたデータをリレーすることと
を行うように前記プロセッサによって実行可能である、ＭＴＣデータをリレーするためのデバイス。
【手続補正２】
【補正対象書類名】明細書
【補正対象項目名】０１３０
【補正方法】変更
【補正の内容】
【０１３０】
[0143]添付の図面に関して上記に記載された発明を実施するための形態は、当業者が本開示を製作または使用することを可能にするために提供された。本開示の様々な変更が当業者には容易に明らかになり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についていかなる選好も暗示せず、または必要としない。発明を実施するための形態は、説明した技法の理解を与える目的で具体的な詳細を含む。しかしながら、これらの技法は、これらの具体的な詳細なしに実践され得る。場合によっては、説明した実施形態の概念を不明瞭にしないように、よく知られている構造およびデバイスはブロック図の形態で示される。したがって、本開示は、本明細書で説明した例および設計に限定されるべきでなく、本明細書で開示される原理および新規の特徴に一致する最も広い範囲を与えられるべきである。
以下に本願の出願当初の特許請求の範囲に記載された発明を付記する。
[Ｃ１]  第１のワイヤレスデバイスによって、第１の狭周波数帯域上で発見動作を実施することと、
第２の狭周波数帯域上で発見された第２のワイヤレスデバイスとの第１の通信リンクを確立することと、
前記発見された第２のワイヤレスデバイスに前記第２の狭周波数帯域上でデータを送信することと、前記データが、前記発見された第２のワイヤレスデバイスによって広周波数帯域上の第２の通信リンク上で第３のデバイスにリレーされるべきである、を備えるワイヤレス通信の方法。
[Ｃ２]  前記第１の狭周波数帯域または前記第２の狭周波数帯域のうちの少なくとも１つが前記広周波数帯域のサブセットである、Ｃ１に記載の方法。
[Ｃ３]  前記第１の狭周波数帯域と前記第２の狭周波数帯域とが同じである、Ｃ１に記載の方法。
[Ｃ４]  前記第２の狭周波数帯域が複数の狭周波数帯域ワイヤレスデバイスに共通である、Ｃ３に記載の方法。
[Ｃ５]  前記第１の狭周波数帯域または前記第２の狭周波数帯域のうちの少なくとも１つがあらかじめ定義された、Ｃ１に記載の方法。
[Ｃ６]  前記第１の狭周波数帯域または前記第２の狭周波数帯域のうちの少なくとも１つが前記第１のワイヤレスデバイスによってランダムに選択される、Ｃ１に記載の方法。
[Ｃ７]  前記第１のワイヤレスデバイスが前記第３のデバイスとの同期を実施する、Ｃ１に記載の方法。
[Ｃ８]  前記第２の狭周波数帯域上の前記第１の通信リンクと前記広周波数帯域上の前記第２の通信リンクとが時間的に重複する、Ｃ１に記載の方法。
[Ｃ９]  前記第１のワイヤレスデバイスがマシンタイプ通信（ＭＴＣ）デバイスである、Ｃ１に記載の方法。
[Ｃ１０]  前記第１の通信リンクがＬＴＥ−Ｄ接続を備える、Ｃ１に記載の方法。
[Ｃ１１]  前記第１の狭周波数帯域または前記第２の狭周波数帯域のうちの少なくとも１つが１．４ＭＨｚから３ＭＨｚの範囲内の帯域幅を備える、Ｃ１に記載の方法。
[Ｃ１２]  前記広周波数帯域が約５ＭＨｚ、１０ＭＨｚ、または２０ＭＨｚの帯域幅を備える、Ｃ１に記載の方法。
[Ｃ１３]  前記広周波数帯域上の前記第２の通信リンクがＬＴＥ接続を備える、Ｃ１に記載の方法。
[Ｃ１４]  プロセッサと、
前記プロセッサと電子通信しているメモリと、
前記メモリに記憶された命令とを備え、前記命令は、
第１の狭周波数帯域上で発見動作を実施することと、
第２の狭周波数帯域上で発見された第２のワイヤレスデバイスとの第１の通信リンクを確立することと、
前記発見された第２のワイヤレスデバイスに前記第２の狭周波数帯域上でデータを送信することと、前記データが、前記発見された第２のワイヤレスデバイスによって広周波数帯域上の第２の通信リンク上で第３のデバイスにリレーされるべきである、
を行うように前記プロセッサによって実行可能である、マシンタイプ通信（ＭＴＣ）デバイス。
[Ｃ１５]  前記第１の狭周波数帯域または前記第２の狭周波数帯域のうちの少なくとも１つが前記広周波数帯域のサブセットである、Ｃ１４に記載のデバイス。
[Ｃ１６]  第１のワイヤレスデバイスによって発見動作に参加することと、
第１の狭周波数帯域上で前記発見動作に関与する第２のワイヤレスデバイスとの第１の通信リンクを確立することと、
前記第２のワイヤレスデバイスから第２の狭周波数帯域上でデータを受信することと、
広周波数帯域上の第２の通信リンクを介して第３のデバイスに前記受信されたデータをリレーすることとを備えるワイヤレス通信の方法。
[Ｃ１７]  前記発見動作を開始するために前記第１の狭周波数帯域上で発見メッセージを送ることをさらに備える、Ｃ１６に記載の方法。
[Ｃ１８]  前記発見動作を開始するために複数のワイヤレスデバイスに共通の狭周波数帯域上で発見メッセージを送ることをさらに備える、Ｃ１７に記載の方法。
[Ｃ１９]  前記発見動作を開始するために複数のワイヤレスデバイスに複数の異なる狭周波数帯域上で発見メッセージを送ることをさらに備える、Ｃ１７に記載の方法。
[Ｃ２０]  前記第２のワイヤレスデバイスからの応答メッセージについて所定の時間の間、前記第１の狭周波数帯域を監視することをさらに備える、Ｃ１６に記載の方法。
[Ｃ２１]  前記第２のワイヤレスデバイスが前記発見動作を開始する、Ｃ１６に記載の方法。
[Ｃ２２]  前記第１の狭周波数帯域と前記第２の狭周波数帯域とが同じである、Ｃ１６に記載の方法。
[Ｃ２３]  前記第１の狭周波数帯域または前記第２の狭周波数のうちの少なくとも１つが前記広周波数帯域のサブセットである、Ｃ１６に記載の方法。
[Ｃ２４]  前記第２のワイヤレスデバイスがマシンタイプ通信（ＭＴＣ）デバイスである、Ｃ１６に記載の方法。
[Ｃ２５]  前記第１の通信リンクがＬＴＥ−Ｄ接続を備える、Ｃ１６に記載の方法。
[Ｃ２６]  前記第２の通信リンクがＬＴＥ接続を備える、Ｃ１６に記載の方法。
[Ｃ２７]  前記第１の狭周波数帯域または前記第２の狭周波数のうちの少なくとも１つが１．４ＭＨｚから３ＭＨｚの範囲内の帯域幅を備える、Ｃ１６に記載の方法。
[Ｃ２８]  前記広周波数帯域が約５ＭＨｚ、１０ＭＨＺ、または２０ＭＨｚの帯域幅を備える、Ｃ１６に記載の方法。
[Ｃ２９]  プロセッサと、
前記プロセッサと電子通信しているメモリと、
前記メモリに記憶された命令とを備え、前記命令が、
発見動作に参加することと、
第１の狭周波数帯域上で前記発見動作に関与する第２のワイヤレスデバイスとの第１の通信リンクを確立することと、
前記第２のワイヤレスデバイスから第２の狭周波数帯域上でデータを受信することと、
広周波数帯域上の第２の通信リンクを介して第３のデバイスに前記受信されたデータをリレーすることと
を行うように前記プロセッサによって実行可能である、ＭＴＣデータをリレーするためのデバイス。
[Ｃ３０]  前記第１の狭周波数帯域または前記第２の狭周波数のうちの少なくとも１つが前記広周波数帯域のサブセットである、Ｃ２９に記載のデバイス。